(57)【要約】【課題】従来システムでは、多数のコンピュータ画像を切替える必要のある大規模システムの場合、高価なアナログマトリクススイッチャを用いても、なお、全ての信号を一つのスイッチャで切替えることができないため、自由なシステム構築が不可能である。【解決手段】ＰＣ端末１１、１２により別々に生成されたコンピュータ画像に関する画像信号は、画像配信部２１、２２により互いに独立して画像データパケットを構成するようにされてから、汎用ネットワーク３１にそれぞれ送出される。画像受信／表示出力部４１〜４４は、汎用ネットワーク３１を介して画像データパケットを選択受信し、拡大率や表示位置に従って画像を加工し、加工後のＲＧＢ画像信号を、プロジェクタである表示装置５１〜５４に出力する。複数の画像受信／表示出力部で同一の画像データパケットを受信する場合には、汎用ネットワーク３１で用いられる同報通信機能を利用する。【選択図】図１
2007147928.tif 000002
【特許請求の範囲】
【請求項１】
複数の画像の中から選択した一以上の画像を、複数の表示装置に切替入力し又は分配入力して表示させる画像切替・分配システムにおいて、
前記複数の画像に対応した複数の画像信号をそれぞれ発生する画像発生手段と、
前記画像発生手段から出力された前記複数の画像信号のそれぞれを画像パケットとして生成する複数の画像パケット生成手段と、
前記複数の画像パケット生成手段から出力された複数の前記画像パケットを伝送する汎用ネットワークと、
前記汎用ネットワークを介して受信した前記複数の画像パケットの中から任意の画像パケットを選択受信して得た画像信号を、前記複数の表示装置のうち対応して設けられた表示装置へ出力する複数の画像受信手段と
を有することを特徴とする画像切替・分配システム。
【請求項２】
複数の画像の中から選択した一以上の画像を、複数の表示装置に切替入力し又は分配入力して表示させる画像切替・分配システムにおいて、
前記複数の画像に対応した複数の画像信号をそれぞれ発生する画像発生手段と、
前記画像発生手段から出力された前記複数の画像信号のそれぞれを画像パケットとして生成する複数の画像パケット生成手段と、
前記複数の画像パケット生成手段から出力された複数の前記画像パケットの中から選択した一の画像パケットを同報送信する汎用ネットワークと、
前記汎用ネットワークを介して受信した画像パケットから生成した受信画像信号を、前記複数の表示装置のうち対応して設けられた表示装置へ出力する複数の画像受信手段と
を有することを特徴とする画像切替・分配システム。
【請求項３】
前記複数の画像受信手段は、前記受信画像信号のうち予め割り当てられた画像領域の画像信号部分を拡大処理し、その拡大処理した画像信号を、対応して設けられた前記表示装置へ出力することを特徴とする請求項２記載の画像切替・分配システム。
【請求項４】
前記複数の画像パケット生成手段は、前記画像発生手段から出力された前記複数の画像を圧縮符号化する圧縮符号化部と、前記圧縮符号化部から出力された信号を前記画像パケットに生成する第１の処理部とを有し、
前記複数の画像受信手段は、前記受信した画像パケットから圧縮符号化信号を得る第２の処理部と、前記圧縮符号化信号を伸長復号化して復号画像信号を生成して、対応して設けられた前記表示装置へ出力する復号化手段とを有することを特徴とする請求項１又は２記載の画像切替・分配システム。
【請求項５】
前記複数の表示装置は、入力された画像信号を共通のスクリーンに投影するプロジェクタであることを特徴とする請求項１乃至４のうちいずれか一項記載の画像切替・分配システム。
【請求項６】
前記画像発生手段は、前記複数の画像としてコンピュータ画像をそれぞれ発生する複数のコンピュータ端末からなることを特徴とする請求項１乃至５のうちいずれか一項記載の画像切替・分配システム。
【発明の詳細な説明】
【技術分野】
【０００１】
本発明は画像切替・分配システムに係り、特に複数のプロジェクタを用いてコンピュータ画像等の各種の画像を表示するマルチプロジェクタシステムにおいて、デジタルパケット化した画像を切り替え又は分配する画像切替・分配システムに関する。
【背景技術】
【０００２】
複数のプロジェクタを用いて、複数の要素画像をスクリーン上に並べて投射することにより、１つのプロジェクタで表示する画像よりも大きな画像をスクリーン上に表示するマルチプロジェクタが知られている（例えば、特許文献１参照）。
【０００３】
このようなマルチプロジェクタにおいて、任意のコンピュータ画像を表示するための画像切替システムを構築する場合、アナログＲＧＢ信号を、アナログマトリクススイッチャを用いて切替・分配する方式が一般的である。すなわち、コンピュータ画像に関する三原色（Ｒ，Ｇ，Ｂ）の各アナログ画像信号を、アナログマトリクススイッチャを用いて切替・分配して複数のプロジェクタに入力し、その複数のプロジェクタから複数の要素画像をスクリーン上に並べて投射する。
【０００４】
この場合、接続ケーブルとして３Ｃ−２Ｖや５Ｃ−２Ｖといった７５Ω同軸ケーブルを用いて、画像ソースとなるコンピュータのＲＧＢ出力端子とアナログマトリクススイッチャとの間、及びアナログマトリクススイッチャとマルチプロジェクトとの間をそれぞれ結線している。
【０００５】
【特許文献１】特開２００５−１１７２６６号公報
【発明の開示】
【発明が解決しようとする課題】
【０００６】
しかしながら、コンピュータ画像信号は一つの画像信号につき、赤（Ｒ）、緑（Ｇ）、青（Ｂ）の三原色信号と、水平同期信号及び垂直同期信号という５つの信号用として５本の信号線を必要とするため、アナログＲＧＢ信号用のアナログマトリクススイッチャはコネクタを実装するだけでも装置を大型にする必要がある。また、コンピュータ画像信号はＴＶ信号などと比較して信号周波数が高いことから、電磁輻射によるクロストーク（漏洩信号成分）を抑圧することが困難な上、伝送距離に制約があり、アナログ信号の場合、５０ｍ程度、デジタル信号の場合、１０ｍ程度の距離しか延ばすことができない。
【０００７】
加えて、アナログマトリクススイッチャは通常、入力端子数が４で、出力端子数が４程度のマトリクススイッチングＬＳＩ（大規模半導体集積回路）を更にマトリクス状に配置して回路を構成しているが、規模を大きくすると、ＬＳＩ及び基板の構成が乗算で増えていくことから、最大でも入力映像６４系統、出力映像６４系統程度の切替が限界であり、それ以上の大規模なアナログマトリクススイッチャは構成が不可能である。
【０００８】
すなわち、上記の従来の画像切替・分配システムでは、大規模なシステムを構築しようとした場合、アナログマトリクススイッチャの筐体の寸法や、内部回路の規模が非常に大きくなることから、非常に高価なシステムになってしまう。更に、従来はシステムを拡張させたくても、入力映像６４系統、出力映像６４系統程度の切替が限界となってしまい、多数のコンピュータ画像を切替えたい場合は、事前に別のスイッチャで系統を減らすなどの対策を講じる必要がある。
【０００９】
以上の問題のため、多数のコンピュータ画像を切替える必要のある大規模システムの場合、高価なアナログマトリクススイッチャを用いても、なお、全ての信号を一つのスイッチャで切替えることができないため、自由なシステム構築が不可能となっている。
【００１０】
本発明は以上の点に鑑みなされたもので、複数のプロジェクタを用いて各種の画像を表示するマルチプロジェクタシステムにおいて、デジタルパケット化した画像を、汎用ネットワークを用いて伝送及び切替処理を行うことで、規模の制約を受けることなく、安価なシステム構築が可能な画像切替・分配システムを提供することを目的とする。
【課題を解決するための手段】
【００１１】
上記の目的を達成するため、本発明は複数の画像の中から選択した一以上の画像を、複数の表示装置に切替入力し又は分配入力して表示させる画像切替・分配システムにおいて、複数の画像に対応した複数の画像信号をそれぞれ発生する画像発生手段と、画像発生手段から出力された複数の画像信号のそれぞれを画像パケットとして生成する複数の画像パケット生成手段と、複数の画像パケット生成手段から出力された複数の画像パケットを伝送する汎用ネットワークと、汎用ネットワークを介して受信した複数の画像パケットの中から任意の画像パケットを選択受信して得た画像信号を、複数の表示装置のうち対応して設けられた表示装置へ出力する複数の画像受信手段とを有することを特徴とする。この発明では、切替対象の複数の画像信号を画像パケットとして生成して汎用ネットワークで伝送できる。
【００１２】
また、上記の目的を達成するため、本発明は、複数の画像の中から選択した一以上の画像を、複数の表示装置に切替入力し又は分配入力して表示させる画像切替・分配システムにおいて、複数の画像に対応した複数の画像信号をそれぞれ発生する画像発生手段と、画像発生手段から出力された複数の画像信号のそれぞれを画像パケットとして生成する複数の画像パケット生成手段と、複数の画像パケット生成手段から出力された複数の画像パケットの中から選択した一の画像パケットを同報送信する汎用ネットワークと、汎用ネットワークを介して受信した画像パケットから生成した受信画像信号を、複数の表示装置のうち対応して設けられた表示装置へ出力する複数の画像受信手段とを有することを特徴とする。この発明では、分配対象の複数の画像信号のうち選択した一の画像信号の画像パケットを汎用ネットワークの同報送信機能を利用して、複数の画像受信手段へ同報送信することができる。
【００１３】
また、上記の目的を達成するため、本発明は、上記の複数の画像受信手段を、受信画像信号のうち予め割り当てられた画像領域の画像信号部分を拡大処理し、その拡大処理した画像信号を、対応して設けられた表示装置へ出力する構成としたことを特徴とする。この発明では、複数の画像受信手段がそれぞれ受信した、同報送信された同一画像の画像パケットを、予め割り当てられた画像領域の画像信号部分を拡大処理し、その拡大処理した画像信号を、対応して設けられた表示装置へ出力する。
【００１４】
また、上記の目的を達成するため、本発明は、複数の画像パケット生成手段を、画像発生手段から出力された複数の画像を圧縮符号化する圧縮符号化部と、圧縮符号化部から出力された信号を画像パケットに生成する第１の処理部とを有する構成とし、複数の画像受信手段を、受信した画像パケットから圧縮符号化信号を得る第２の処理部と、圧縮符号化信号を伸長復号化して復号画像信号を生成して、対応して設けられた表示装置へ出力する復号化手段とを有する構成としたことを特徴とする。この発明では、汎用ネットワークの伝送帯域に対応した帯域で画像パケットを伝送することができる。
【００１５】
また、上記の目的を達成するため、本発明は、複数の表示装置は、入力された画像信号を共通のスクリーンに投影するプロジェクタとし、画像発生手段は、複数の画像としてコンピュータ画像をそれぞれ発生する複数のコンピュータ端末からなる構成としてもよい。
【発明の効果】
【００１６】
本発明によれば、切替・分配対象の複数の画像信号を画像パケットとして生成して汎用ネットワークで選択伝送するようにしたため、高価なマトリクススイッチャを用いることなく、画像信号を切替・分配処理できると共に、切替数は、汎用ネットワークのポート数を増やすことで自由に増やすことができ、更に多数のポートを持ったネットワーク機器を利用しても従来に比べ大幅な装置の小型化が可能であり、その結果、システム設計者は規模や距離の制約を受けることなく、自由にシステムを構築することができる。
【発明を実施するための最良の形態】
【００１７】
次に、本発明の実施の形態について図面と共に説明する。図１は本発明になる画像切替・分配システムの一実施の形態のシステム構成図を示す。図１において、パーソナルコンピュータ（以下、ＰＣ）端末１１、１２により別々に生成されたコンピュータ画像に関する画像信号は、それぞれ対応して設けられた画像配信部２１、２２により互いに独立してデジタルデータに変換され、ネットワークに送出するための画像データパケットを構成するようにされてから、汎用ネットワーク３１にそれぞれ送出される。ここで、汎用ネットワーク３１は、ＬＡＮ（Local Area Network）、ＷＡＮ（Wide Area Network）、イーサネット（ただし、「イーサネット」は登録商標；以下、同じ）などである。
【００１８】
一方、画像受信／表示出力部４１、４２、４３及び４４は、汎用ネットワーク３１を介して伝送されてきたＰＣ端末１１、１２からの画像データパケットをそれぞれ選択受信し、拡大率や表示位置に従って画像を加工し、加工後のＲＧＢ画像信号を、対応して設けられた表示装置５１、５２、５３及び５４に出力する。
【００１９】
ここで、上記の画像受信／表示出力部４１、４２、４３及び４４による画像データパケットの選択受信には、汎用ネットワーク３１で用いられるアドレスやＩＤなどの識別子を利用する。また、画像受信／表示出力部４１、４２、４３及び４４のうち、複数の画像受信／表示出力部で同一の画像データパケットを受信する場合には、汎用ネットワーク３１で用いられるブロードキャストやマルチキャストといった機能を利用する。
【００２０】
表示装置５１、５２、５３及び５４は、例えばプロジェクタであり、入力されたＲＧＢ画像信号のカラー画像を、それぞれ図示しない同一の大面積のスクリーンの予め定められた領域に投影して表示させる。これにより、スクリーンには表示装置５１〜５４によりそれぞれ投影された全体として一つ又は各々分割されたカラー画像が表示される。
【００２１】
このように、本実施の形態によれば、従来、高価なアナログマトリクススイッチャを用いて実現していた画像の切替処理及び分配処理を、汎用ネットワーク３１を用いた選択受信により実現できる。また、切替数は、汎用ネットワーク３１のポート数を増やすことで自由に増やすことができる。また、接続する画像配信部２１，２２と汎用ネットワーク３１との距離はイーサネット（１００Ｂａｓｅ−ＴＸ）の場合で１００ｍ、光ファイバを用いたネットワークでは数十ｋｍと延ばすことができる。
【００２２】
更に、アナログＲＧＢ信号１系統の伝送に従来は５本の信号線が必要であったが、本実施の形態では、汎用ネットワーク３１として例えばイーサネットで伝送するので、ＲＪ−４５コネクタの付いたＵＴＰケーブル１本で済むため、多数のポートを持ったネットワーク機器を利用しても従来に比べ大幅な装置の小型化が可能である。これらの効果により、システム設計者は規模や距離の制約を受けることなく、入力映像６４系統、出力映像６４系統以上の切替も可能であり、自由にシステムを構築することが可能となる。
【００２３】
次に、図１中の画像配信部２１、２２の構成と動作について説明する。図２は上記の画像配信部２１、２２の一実施の形態のブロック図を示す。画像配信部２１、２２はそれぞれ同一構成であり、図２に示すように、デジタル変換部２０１、スイッチ２０２、圧縮符号化部２０３、ＴＣＰ／ＩＰ処理部２０４及びイーサネット処理部２０５からなる。図示しないＰＣ端末から表示すべきコンピュータ画像に関するアナログＲＧＢ信号又はデジタルＲＧＢ信号が入力され、アナログＲＧＢ信号はデジタル変換部２０１に入力され、デジタルＲＧＢ信号はスイッチ２０２の端子ｂに入力される。
【００２４】
上記のアナログＲＧＢ信号は、一つの信号当り三原色信号Ｒ，Ｇ，Ｂと、水平同期信号と垂直同期信号とからなる計５信号からなり、これら５信号が並列にデジタル変換部２０１に入力され、ここで圧縮符号を生成する基となるデジタルデータに変換された後、スイッチ２０２の端子ａに入力される。また、上記のデジタルＲＧＢ信号も、そのデジタルＲＧＢ信号を構成する複数の信号がスイッチ２０２の端子ｂに入力される。
【００２５】
ここで、上記のデジタルＲＧＢ信号が、例えば、デジタルディスプレイ用のＤＶＩ−ＤというデジタルＲＧＢ信号の場合、２４ピンコネクタに信号が入力され、そのうち、有意な信号は、ピン番号１、２、３のＴＭＤＳ  Ｄａｔａ２−，ＴＭＤＳ  Ｄａｔａ２＋，ＴＭＤＳ  Ｄａｔａ2/4Shield、ピン番号６、７のＤＤＣ  Ｃｌｏｃｋ、ＤＤＣ  Ｄａｔａ、ピン番号９、１０のＴＭＤＳ  Ｄａｔａ１−、ＴＭＤＳ  Ｄａｔａ１＋、ピン番号１７、１８のＴＭＤＳ  Ｄａｔａ０−、ＴＭＤＳ  Ｄａｔａ０＋、ピン番号２３、２４のＴＭＤＳ  Ｃｌｏｃｋ＋、ＴＭＤＳ  Ｃｌｏｃｋ−である。
【００２６】
上記のアナログＲＧＢ信号をデジタル変換して得られたデジタルデータ、及びデジタルＲＧＢ信号のうち、スイッチ２０２により選択された一方のデジタル信号（デジタル化されたＲＧＢ信号）が圧縮符号化部２０３に供給され、ここで圧縮符号化されて帯域圧縮される。スイッチ２０２により選択されるデジタル化されたＲＧＢ信号は、例えば、解像度１２８０×１０２４ドット、各ドットのビット数が２４ビット、フレーム周波数６０Ｈｚの場合、およそ１.９Ｇｂｐｓの符号化速度を持つ。
【００２７】
本実施の形態では、ＲＧＢ画像信号に適した帯域圧縮を行い、符号化速度を１／３０程度に落とす。これにより、圧縮符号化部２０３から出力される符号化信号の符号化速度は、６３Ｍｂｐｓ程度となり、一般的に用いられ入手性も良いイーサネット（ＩＥＥＥ８０２.３）形式のネットワークを利用することが可能となる。
【００２８】
従来はリアルタイムでＲＧＢ画像信号を扱うことのできる帯域圧縮技術が存在しなかったため、画像切替・分配システムの実現は困難であったが、現在は例えば、本出願人の提案になる特願２００４−０４５６５９のような技術を用いることで実現できる。この特願２００４−０４５６５９には、２次元信号を複数の周波数領域であるサブバンドに分割するウェーブレット変換手段と、同一階層のウェーブレット分解レベルに属する複数のサブバンドから、空間的に同一位置に属する係数の組を一定数ずつ抽出する係数抽出手段と、抽出された係数の組を符号化する係数符号化手段とを有する符号化装置が開示されている。
【００２９】
この符号化装置では、ウェーブレット変換によって画像をサブバンドに分割し、最低周波数のＬＬサブバンドの全領域を符号化した後、各階層のウェーブレット分解レベルに属するＬＨ、ＨＬ、ＨＨサブバンド係数を、空間的に同一位置にある係数毎に順次読み出して符号化する。このため、汎用の逐次処理型ＣＰＵを用いても実メモリへのストア・ロード回数を削減でき、高速処理が可能となる。
【００３０】
また、時間軸上でフレーム間差分をとって、差分情報だけを伝送することにより、１／２００程度の圧縮も可能である。その場合の符号化速度は１０Ｍｂｐｓ以下となり、無線ＬＡＮなどを利用した伝送も可能となる。
【００３１】
圧縮符号化部２０３で生成された圧縮符号化データは、ＴＣＰ／ＩＰ処理部２０４に供給され、ここでＩＰパケット化され、このときＩＰアドレスによりシステムでの識別子を与えられる。このＩＰパケットは、イーサネット処理部２０５を通じて、外部の汎用ネットワーク（図１の汎用ネットワーク３１）にＲＧＢ圧縮符号データとして送出される。
【００３２】
ＴＣＰ／ＩＰ（Transmission Control Protocol/Internet Protocol）及びイーサネットを用いた本実施の形態の場合、スイッチングハブやレイヤ２スイッチ、レイヤ３スイッチといったイーサネットに対応した様々なネットワーク装置を利用することができる。特にレイヤ３スイッチを用いた場合、同報配信技術であるＩＰマルチキャスト技術を使うことにより、無駄にブロードキャストによってネットワーク帯域を消費することなく、必要な複数の受信者に同一信号を分配することも可能となり、より高度な切替・分配システムを構築することができる。
【００３３】
また、本実施の形態では、イーサネットやＴＣＰ／ＩＰといった一般的なネットワーク技術を用いているため、汎用ネットワーク３１として電気通信事業者の提供するネットワーク接続サービスなどを利用することができ、その結果、遠隔地と回線を結んで伝送距離に関係なく、画像切替・分配システムを構築することも可能である。
【００３４】
次に、図１中の画像受信／表示出力部４１〜４４の構成と動作について説明する。図３は本発明における画像受信／表示出力部の一実施の形態のブロック図を示す。図１中の画像受信／表示出力部４１〜４４はそれぞれ同一構成であり、図３に示すように、イーサネット処理部４０１、ＴＣＰ／ＩＰ処理部４０２、伸長復号化部４０３、表示制御部４０４、スイッチ４０５、アナログ変換部４０６から構成され、主に図２に示した画像配信部２１、２２の処理と逆の操作を行う。
【００３５】
この画像受信／表示出力部の動作について説明するに、図１の汎用ネットワーク３１（ここでは、一例としてイーサネット）を介して入力されたＲＧＢ圧縮符号データは、イーサネット処理部４０１で受信され、更にＩＰパケットに変換された後、ＴＣＰ／ＩＰ処理部４０２に渡される。ＴＣＰ／ＩＰ処理部４０２は、入力されたＩＰパケット中の識別子であるＩＰアドレスを判別し、必要な画像パケットだけを選別する。この選別は、オペレータが設定して行ってもよく、あるいは、定期的に一定時間毎に画像受信／表示出力部４１〜４４を自動的に巡回しながら受信するようにしてもよい。
【００３６】
ＴＣＰ／ＩＰ処理部４０２から出力されたＲＧＢ圧縮符号データである画像パケットは、伸長復号化部４０３で伸長復号化され、表示可能なデジタルＲＧＢ信号として生成された後、表示制御部４０４に供給される。マルチプロジェクタシステムの場合、一つのＲＧＢ画像信号を複数のプロジェクタに分配し、拡大した画像の一部分を表示担当領域に従って切り出し表示することが行われるが、本実施の形態の画像受信／表示出力部４１〜４４では、この拡大処理、切り出し表示処理を表示制御部４０４で行い、最終的に表示するＲＧＢ信号が生成される。
【００３７】
表示制御部４０４から出力されるＲＧＢ信号は、最終的に図１に示したプロジェクタ等の表示装置５１〜５４がデジタルＲＧＢ信号に対して表示出力画像を得る構成の場合は、スイッチ４０５が端子ｂに接続されて、表示制御部４０４から出力されたデジタルＲＧＢ信号がそのまま表示装置５１〜５４へ出力される。
【００３８】
一方、最終的に図１に示した表示装置５１〜５４がアナログＲＧＢ信号に対して表示出力画像を得る構成の場合は、スイッチ４０５が端子ａに接続されて、表示制御部４０４から出力されたデジタルＲＧＢ信号がアナログ変換部４０６に供給され、ここでアナログＲＧＢ信号に変換された後、表示装置５１〜５４へ出力される。
【００３９】
このようにして、例えば、ＰＣ端末１１及び１２のうち、一方のＰＣ端末から出力された同一のコンピュータ画像のＲＧＢ信号を、汎用ネットワーク３１のマルチキャスト機能を利用して４台の画像受信／表示出力部４１〜４４で同時に受信し、画像受信／表示出力部４１〜４４が受信したＲＧＢ信号の、予め割り当てられた互いに異なる表示担当の１／４の画像領域の画像を切り出して、それを縦横２倍ずつに拡大したデジタルＲＧＢ信号又はアナログＲＧＢ信号を、対応する表示装置５１〜５４に供給してそれぞれスクリーンに投影して表示させることにより、一つのコンピュータ画像の左上の１／４の領域の画像を表示装置５１により拡大表示させ、右上の１／４の領域の画像を表示装置５２により拡大表示させ、左下の１／４の領域の画像を表示装置５３により拡大表示させ、右下の１／４の領域の画像を表示装置５４により拡大表示させ、これにより表示装置５１〜５４によりスクリーン全体で一つのコンピュータ画像を大きく表示するような使い方ができる。
【００４０】
また、本実施の形態では、汎用ネットワーク３１を用いた選択受信により、一つのコンピュータ画像の分配処理だけでなく、従来用いていた高価なアナログマトリクススイッチャを用いることなく、２台のＰＣ端末１１、１２の２つのコンピュータ画像の切替処理も実現できる。なお、上記の表示形態に限定されるものではなく、４台のＰＣ端末からの４つのコンピュータ画像を４台の表示装置５１〜５４により表示させたりすることができる。
【００４１】
なお、本発明は上記の実施の形態に限定されるものではなく、例えば汎用ネットワーク３１にはＡＴＭ網、ＳＤＨ網、デジタル専用線などのＷＡＮ回線、ファイバーチャネルなどの高速ＬＡＮ回線、ｘＤＳＬなどのアクセスネットワーク、無線ＬＡＮや携帯電話回線などの無線通信を用いることも可能である。また、汎用ネットワーク３１で伝送可能な信号の帯域によっては、圧縮伸長処理を用いずに、直接パケット化するシステムの構築も可能である。また、ＰＣ端末１１、１２により２つのコンピュータ画像を発生するように説明したが、ＰＣ端末以外の一以上の画像発生機器からコンピュータ画像又はそれに類似する再生画像等の各種の画像を発生するようにしてもよい。
【図面の簡単な説明】
【００４２】
【図１】本発明の画像切替・分配システムの一実施の形態のシステム構成図である。
【図２】図１中の画像配信部の一実施の形態のブロック図である。
【図３】図１中の画像受信／表示出力部の一実施の形態のブロック図である。
【符号の説明】
【００４３】
１１、１２  ＰＣ端末
２１、２２  画像配信部
３１  汎用ネットワーク
４１〜４４  画像受信／表示出力部
５１〜５４  表示装置
２０１  デジタル変換部
２０２、４０５  スイッチ
２０３  圧縮符号化部
２０４、４０２  ＴＣＰ／ＩＰ処理部
２０５、４０１  イーサネット処理部
４０３  伸長復号化部
４０４  表示制御部
４０６  アナログ変換部
【図１】
2007147928.tif 000003
【図２】
2007147928.tif 000004
【図３】
2007147928.tif 000005